(57)【特許請求の範囲】
【請求項１】
水性媒体と、遊離酸の型が下記一般式（１）で示される色素から選ばれる少なくとも１種の色素を含有することを特徴とする記録液。
【化１】
0004136078.tif 000015
（式中、Ｒ1、Ｒ2及びＲ3は、それぞれ独立に、炭素数１〜９の置換もしくは非置換のアルキル基、ハロゲン原子、水素原子、ヒドロキシル基、置換もしくは非置換のカルバモイル基、置換もしくは非置換のスルファモイル基、置換もしくは非置換のアミノ基、ニトロ基、シアノ基、スルホン酸エステルの基、炭素数１〜９のアルキルスルホニル基、炭素数６〜１５のアリールスルホニル基、カルボキシル基、または、カルボン酸エステルの基を表わす。
ｍは０、１または２の数を表わす。Ｒ4及びＲ5は、それぞれ独立に、水素原子、炭素数１〜１８のアルキル基、炭素数２〜１８のアルケニル基、アリール基、アラルキル基、アリサイクリック基、またはヘテロサイクリック基を表わし、これらのうち水素原子以外は置換基を有していてもよい。）
【請求項２】
前記一般式（１）中、Ｒ1、Ｒ2及びＲ3が、それぞれ独立に、炭素数１〜９の置換もしくは非置換のアルキル基、ハロゲン原子、水素原子、置換もしくは非置換のカルバモイル基、置換もしくは非置換のスルファモイル基、置換もしくは非置換のアミノ基、ニトロ基、シアノ基、スルホン酸エステルの基、カルボキシル基、または、カルボン酸エステルの基であることを特徴とする請求項１に記載の記録液。
【請求項３】
前記一般式（１）中、ｍが１であり、かつフェニル基へ結合するＳＯ3Ｈ基が、アゾ基の結合位置に対してオルト位に置換している構造の色素から選ばれる少なくとも一種の色素を含有することを特徴とする請求項１または２に記載の記録液。
【請求項４】
前記一般式（１）中、ｍが０で、Ｒ1、Ｒ2及びＲ3の少なくとも１つが水素原子であり、かつＲ1、Ｒ2及びＲ3の少なくとも１つが、トリフルオロメチル基、シアノ基、置換もしくは非置換のカルバモイル基、置換もしくは非置換のスルファモイル基、スルホン酸エステルの基、カルボキシル基又はカルボン酸エステルの基から選ばれる基であり、かつアゾ基の結合位置に対してオルト位に置換している構造の色素から選ばれる少なくとも１種の色素を含有することを特徴とする請求項１または２に記載の記録液。
【請求項５】
前記一般式（１）中、ｍが０で、Ｒ1、Ｒ2及びＲ3の１つがアゾ基の結合位置に対してオルト位に置換しているカルボキシル基であり、残りが水素原子である構造の色素から選ばれる少なくとも１種の色素を含有することを特徴とする請求項１、２、及び４の何れか１項に記載の記録液。
【請求項６】
前記一般式（１）中、Ｒ4及びＲ5が、各々独立に、水素原子、炭素数１〜８の置換もしくは非置換のアルキル基、又は下記一般式（２）で表わされる基で示される構造の色素から選ばれる少なくとも１種の色素を含有することを特徴とする請求項１乃至５の何れか１項に記載の記録液。
【化２】
0004136078.tif 000016
（式中、Ａ1、Ａ2、Ａ3、Ａ4及びＡ5は各々独立に水素原子、炭素数１〜４のアルキル基、炭素数１〜４のアルコキシ基、スルホ基、シアノ基、ハロゲン原子、トリフルオロメチル基、置換もしくは非置換のカルバモイル基、置換もしくは非置換のスルファモイル基、ニトロ基、カルボキシル基、スルホン酸エステルの基、カルボン酸エステルの基、アルキルスルホニル基又はアリールスルホニル基を表わす。）
【請求項７】
下記一般式（３）で示される構造の色素から選ばれる少なくとも１種の色素を含有することを特徴とする請求項１乃至６の何れか１項に記載の記録液。
【化３】
0004136078.tif 000017
（式中、Ｒ1、Ｒ2、Ｒ3、Ｒ4、Ｒ5及びｍは一般式（１）と同一の意義を有する。）
【請求項８】
下記一般式（４）で示される構造の色素から選ばれる少なくとも１種の色素を含有することを特徴とする請求項１乃至６の何れか１項に記載の記録液。
【化４】
0004136078.tif 000018
（式中、Ｒ1、Ｒ2、Ｒ3、Ｒ4、Ｒ5及びｍは一般式（１）と同一の意義を有する。）
【請求項９】
色素を０．１〜８重量％の割合で含有することを特徴とする請求項１乃至８の何れか１項に記載の記録液。
【発明の詳細な説明】
【０００１】
【発明の属する技術分野】
本発明は記録液に関するものである。詳しくは、特にインクジェット記録に適したマゼンタ色の記録液に関するものである。
【０００２】
【従来の技術】
インクジェット記録方法は、直接染料や酸性染料等の水溶性染料を含む記録液の液滴を微小な吐出オリフィスから飛翔させて記録を行う方法である。
この記録液に関しては、電子写真用紙のＰＰＣ（プレイン  ペーパー  コピア）用紙、ファンホールド紙（コンピューター等の連続用紙）等の一般事務用に汎用される記録紙に対する定着が速く、しかも印字物の印字品位が良好であることが要求されると共に、記録液としての保存時の安定性も優れていることが必要であり、従って使用できる溶剤が著しく制限される。
【０００３】
一方、記録液用の染料に関しては、上記のような限られた溶剤に対して充分な溶解性を有すると共に、記録液として長期間保存した場合にも安定であり、また印字された画像の彩度及び濃度が高く、しかも耐水性、耐光性に優れていること等が要求されている。
とりわけ、マゼンタ色の記録液に関しては、光照射による画像の退色、すなわち耐光性が乏しいことが問題となっており、これ等の多くの要求を同時に満足する記録液が求められてきた。
【０００４】
このため種々の提案（例えば特開昭５７−３０７７３号、特開昭６１−１０１５７４号、特開昭６１−１０１５７６号、特開昭６１−１９５１７６号、特開昭６１−６２５６２号、特開昭６１−２４７７７１号、特開昭６２−１５６１６８号、特開昭６２−２４６９７４号、特開昭６３−４６２５９号、特開昭６３−４６２６０号、特開昭６３−６３７６５号、特開昭６３−２９５６８５号、特開平１−１２３８６６号、特開平１−２４０５８４号、特開平２−１６１７１号、特開平３−１２２１７１号、特開平３−２０３９７０号、特開平４−１５３２７２号各号公報等）がなされているが、市場の要求を充分に満足するには至っていない。
【０００５】
特に、従来、記録液に使用されているマゼンタ色素においては、市販の染料である直接染料や酸性染料が用いられてきた。
直接染料は、色調が不鮮明であり、逆に色調の鮮明な酸性染料は耐光性が劣る傾向にあり、色調と耐光性の両者を満足するマゼンタ色素の開発が望まれていた。本発明者等は先に（置換）アミノ基で置換されたトリアジン環を有するモノアゾ色素を提案した（特開平８−７３７９１号）。この色素も優れた色素であるが、耐光性、発色性等の点で十分満足し得るものではなかった。
【０００６】
【発明が解決しようとする課題】
かかる事情に鑑み、本発明は、インクジェット記録用、筆記用具用等として、普通紙に記録した場合にも印字品位が良好であると共に、記録画像の色調が鮮明で濃度が高く、耐光性や耐水性に優れており長期間保存した場合の安定性が良好であるマゼンタ色の記録液を提供することを目的とするものである。
【０００７】
【課題を解決するための手段】
本発明者等は上記目的を達成するため、種々検討した結果、特開平８−７３７９１号の色素のトリアジン環に２つの（置換）ヒドロキシ基を導入することによって、一層性能の優れた色素が得られることを見出し、本発明に至った。
即ち本発明の要旨は水性媒体と遊離酸の型が下記一般式（１）で示される色素から選ばれる少なくとも１種の色素を含有する記録液に存する。
【０００８】
【化５】
0004136078.tif 000002
【０００９】
（式中、Ｒ1、Ｒ2及びＲ3は、それぞれ独立に、炭素数１〜９の置換もしくは非置換のアルキル基、ハロゲン原子、水素原子、ヒドロキシル基、置換もしくは非置換のカルバモイル基、置換もしくは非置換のスルファモイル基、置換もしくは非置換のアミノ基、ニトロ基、シアノ基、スルホン酸エステルの基、炭素数１〜９のアルキルスルホニル基、炭素数６〜１５のアリールスルホニル基、カルボキシル基、または、カルボン酸エステルの基を表わす。ｍは０、１または２の数を表わす。Ｒ4及びＲ5は、それぞれ独立に、水素原子、炭素数１〜１８のアルキル基、炭素数２〜１８のアルケニル基、アリール基、アラルキル基、アリサイクリック基、またはヘテロサイクリック基を表わし、これらのうち水素原子以外は置換基を有していてもよい。）
以下本発明を詳細に説明する。
【００１０】
【発明の実施の形態】
本発明で使用される色素は、遊離酸の型が前記一般式（１）で表されるものである。
詳しくは前記一般式（１）において、Ｒ1、Ｒ2およびＲ3で表される置換基としては、それぞれ独立に炭素数１〜９、好ましくは１〜４の置換または非置換のアルキル基（例えば、メチル基、エチル基、ｎ−プロピル基、イソプロピル基、ｎ−ブチル基、２−エチルヘキシル基、トリフルオロメチル基、ジメチルアミノメチル基等）、ハロゲン原子（例えば、フッ素原子、塩素原子、臭素原子等）、水素原子、ヒドロキシル基、置換もしくは非置換のカルバモイル基（例えば、カルバモイル基、Ｎ，Ｎ−ジメチルカルバモイル基、フェニルカルバモイル基等）、置換もしくは非置換のスルファモイル基（例えば、スルファモイル基、Ｎ−メチルスルファモイル基、Ｎ−エチルスルファモイル基、Ｎ−エチル−Ｎ−フェニルスルファモイル基、Ｎ，Ｎ−ジメチルスルファモイル基、ｐ−カルボキシフェニルスルファモイル基等）、置換もしくは非置換のアミノ基（例えば、Ｎ−メチルアミノ基、カルバモイルアミノ基、Ｎ，Ｎ−ジエチルアミノ基、アセチルアミノ基等）、ニトロ基、シアノ基、スルホン酸エステルの基（例えばフェノキシスルホニル基等）、炭素数１〜９のアルキルスルホニル基（例えば、メチルスルホニル基、ヒドロキシエチルスルホニル基等）、炭素数６〜１５のアリールスルホニル基（例えばフェニルスルホニル基、ベンジルスルホニル基等）、カルボキシル基（ＣＯＯＨ）及びカルボン酸エステルの基（例えば、メトキシカルボニル基等）が挙げられる。
【００１１】
ｍは０、１または２を表わす。
好ましくはｍは０又は１を表わす。
ｍが０又は１の場合、Ｒ1 、Ｒ2 及びＲ3 の少なくとも１つは水素原子以外の基であるのが良い。
さらに好ましくは、前記一般式（１）中のｍが１の場合で、フェニル基に置換するＳＯ3 Ｈ基が、アゾ基の結合位置に対してオルト位に結合している構造の色素を使用するのが良い。
【００１２】
また、前記一般式（１）中、ｍが０の場合、Ｒ1 〜Ｒ3 の少なくとも１つが水素原子であり、かつＲ1 〜Ｒ3 の少なくとも１つが、それぞれトリフルオロメチル基、シアノ基、置換もしくは非置換のカルバモイル基、置換もしくは非置換のスルファモイル基、スルホン酸の低級アルキル（以後、「低級アルキル」とは「炭素数１〜４のアルキル基」を指す）エステルの基、スルホン酸の炭素数６〜１２のアリールエステル基、ＣＯＯＨ基、又はカルボン酸の低級アルキルエステル基から選ばれる基であり、かつその基がそれぞれのフェニル基に結合する位置は、アゾ基の結合位置に対してオルト位である構造の色素が好ましい。
また、前記一般式（１）中、ｍが０で、Ｒ1 、Ｒ2 およびＲ3 の１つがアゾ基の結合位置に対してオルト位に置換しているカルボキシル基であり、残りが水素原子である構造の色素も好ましい。
【００１３】
Ｒ4 及びＲ5 で表わされる置換基としては、それぞれ独立に、水素原子、炭素数１〜１８の置換または非置換のアルキル基（例えば、メチル基、エチル基、ｎ−ブチル基、ｎ−オクチル基、エチルヘキシル基、ドデシル基、ステアリル基、ヒドロキシエチル基、カルボキシプロピル基、２−シアノエチル基等）、炭素数２〜１８の置換または非置換のアルケニル基（例えば、ビニル基、アリル基等）、アリール基（例えば、フェニル基、３−カルボキシフェニル基、３，５−ジカルボキシフェニル基、４−シアノフェニル基、４−ニトロフェニル基、３−トリフルオロメチルフェニル基、４−クロロフェニル基、３−フルオロフェニル基等）、アラルキル基（例えばベンジル基、４−トリフルオロメチルベンジル基等）、アリサイクリック基（例えば、シクロヘキシル基等）、ヘテロサイクリック基（例えばピリジル基、ニトロピリジル基、カルボキシピリジル基、ピリミジル基、２，２，６，６−テトラメチルピペリジル基等）が挙げられる。
【００１４】
本発明の色素は、トリアジン環に２個の（置換）アルコキシ基を有することによって、トリアジン環の置換基として（置換）アミノ基を有する類似構造の色素に比し、発色性、彩度が優れており、また、耐光性も向上している。
特に好ましいマゼンタ色の記録液とするためには、Ｒ4 及びＲ5 が各々独立に、水素原子、炭素数１〜８の置換もしくは非置換のアルキル基、又は下記一般式（２）で表わされる基で示される構造の色素が好ましい。
【００１５】
【化６】
0004136078.tif 000003
【００１６】
（式中、Ａ1 、Ａ2 、Ａ3 、Ａ4 及びＡ5 は各々独立に水素原子、炭素数１〜４のアルキル基、炭素数１〜４のアルコキシ基、スルホ基、シアノ基、ハロゲン原子、トリフルオロメチル基、置換もしくは非置換のカルバモイル基、置換もしくは非置換のスルファモイル基、ニトロ基、カルボキシル基、スルホン酸エステルの基、カルボン酸エステルの基、アルキルスルホニル基又はアリールスルホニル基を表わす。）
【００１７】
一般式（２）のＡ1 〜Ａ5 としては、特に水素原子、炭素数１〜４のアルキル基、炭素数１〜４のアルコキシ基、スルホ基、ハロゲン原子、トリフルオロメチル基、ニトロ基、カルボキシル基が好ましい。
さらに、一般式（１）のナフタリン環の構造が下記一般式（３）または（４）で示される構造の色素も好ましい色素の１つである。
【００１８】
【化７】
0004136078.tif 000004
【００１９】
（式中、Ｒ1 〜Ｒ5 及びｍは一般式（１）と同一の意義を有する）
一般式（１）で示される色素は構造中に、ＳＯ3 Ｈ基及びＣＯＯＨ基又はこれらの酸の塩の基を合計で６個以下、好ましくは５個以下、特に好ましくは４個以下有するものが特に好ましい。
【００２０】
本発明で使用される色素は、一般式（１）で示される遊離酸型のまま使用してもよいが、製造時塩型で得られた場合はそのまま使用してもよいし、所望の塩型に変換してもよい。また酸基の一部が塩型のものであってもよく、塩型の色素と遊離酸型の色素が混在していてもよい。このような塩型の例としてＮａ、Ｌｉ、Ｋ等のアルカリ金属の塩、アルキル基もしくはヒドロキシアルキル基で置換されていてもよいアンモニウムの塩、又は有機アミンの塩があげられる。有機アミンの例としては、低級アルキルアミン、ヒドロキシ置換低級アルキルアミン、カルボキシ置換低級アルキルアミン及び炭素数２〜４のアルキレンイミン単位を２〜１０個有するポリアミン等があげられる。これらの塩型の場合、その種類は１種類に限られず複数種混在していてもよい。
【００２１】
また、本発明で使用する色素の構造において、その１分子中に酸基が複数個含まれる場合は、その複数の酸基は塩型あるいは酸型であり互いに異なるものであってもよい。
これ等の色素の具体例としては、例えば以下のＮｏ．１−３５に示す構造の色素が挙げられる。
【００２２】
【化８】
0004136078.tif 000005
【００２３】
【化９】
0004136078.tif 000006
【００２４】
【化１０】
0004136078.tif 000007
【００２５】
【化１１】
0004136078.tif 000008
【００２６】
【化１２】
0004136078.tif 000009
【００２７】
【化１３】
0004136078.tif 000010
【００２８】
【化１４】
0004136078.tif 000011
【００２９】
一般式（１）で示されるアゾ色素は、それ自体周知の方法に従って製造することができる。例えばＮｏ．（１）で示される色素は、下記（Ａ）〜（Ｃ）の工程で製造できる。
（Ａ）２−アミノ安息香酸（アントラニル酸）と１−アミノ−８−ヒドロキシ−３，６−ナフタレンジスルホン酸（Ｈ酸）とから常法［例えば、細田豊著「新染料化学」（昭和４８年１２月２１日、技報堂発行）第３９６頁第４０９頁参照］に従って、ジアゾ化、カップリング工程を経てモノアゾ化合物を製造する。
【００３０】
（Ｂ）得られたモノアゾ化合物を塩化シアヌル懸濁液にｐＨ４〜６、温度０〜５℃を保持しながら加えて、数時間反応を行う。次いで室温にてアルカリ性にならない様に、３−ヒドロキシ安息香酸を加えて数時間縮合反応を行う。次いで、２５％水酸化ナトリウム水溶液を４０℃にて加え、アルカリ性とし、加水分解反応を行い、反応を完結させる。
【００３１】
（Ｃ）冷却後、塩化ナトリウムで塩析することにより目的の色素Ｎｏ．（１）が得られる。
本発明の記録液中における前記一般式（１）のアゾ色素の含有量としては、記録液全量に対して０．１〜８重量％、特に０．３〜４．５重量％が好ましい。
また、本発明に用いられる水性媒体としては、水及び水溶性有機溶剤として、例えばエチレングリコール、プロピレングリコール、ブチレングリコール、ジエチレングリコール、トリエチレングリコール、ポリエチレングリコール（重量平均分子量約１９０〜４００）、グリセリン、Ｎ−メチルピロリドン、Ｎ−エチルピロリドン、１，３−ジメチルイミダゾリジノン、チオジエタノール、ジメチルスルホキシド、エチレングリコールモノアリルエーテル、エチレングリコールモノメチルエーテル、ジエチレングリコールモノメチルエーテル、２−ピロリドン、スルホラン、エチルアルコール、イソプロパノール等を含有しているのが好ましい。これ等の水溶性有機溶剤は、通常記録液の全量に対して１〜５０重量％の範囲で使用される。一方、水は記録液の全量に対して４５〜９５重量％の範囲で使用される。
【００３２】
本発明の記録液に、その全量に対して０．１〜１０重量％、好ましくは０．５〜５重量％の尿素、チオ尿素、ビウレット、セミカルバジドから選ばれる化合物を添加したり、又０．００１〜５．０重量％の界面活性剤を添加することによって、印字後の速乾性及び印字品位をより一層改良することができる。
【００３３】
【実施例】
以下、本発明を実施例について更に詳細に説明するが、本発明はその要旨を越えない限りこれ等の実施例に限定されるものではない。なお、実施例中の色素のＮｏ．は前記例示色素のＮｏ．に対応する。
実施例１
ジエチレングリコール１０重量部、ジエチレングリコールモノブチルエーテル３重量部、前記Ｎｏ．（１）の色素３．０重量部に水を加え、水酸化ナトリウム水溶液でｐＨを９に調整して全量を１００重量部とした。この組成物を充分に混合して溶解し、孔径１μｍのテフロン（登録商標）フィルターで加圧濾過した後、真空ポンプ及び超音波洗浄機で脱気処理して記録液を調製した。
【００３４】
得られた記録液を使用し、インクジェットプリンター（商品名ＢＪＣ−６００、キャノン社製品）を用いて電子写真用紙（商品名４０２４紙、ゼロックス社製品）、高品位専用紙（商品名ＨＲ−１０１、キャノン社製品）、フォト光沢紙（商品名ＧＰ−２０１、キャノン社製品）に各々インクジェット記録を行い、鮮明な色調（彩度）のマゼンタ色印字物を得た。また下記（ａ），（ｂ），（ｃ）及び（ｄ）の方法により評価を行った。
【００３５】
（ａ）記録画像の色調：
色差計（商品名ＳＺ−Σ８０、日本電色工業社製品）を用い、記録画像の色調を測色した。
その結果、４０２４紙におけるＬ* ａ* ｂ* は各々５６．７、６２．３、２．８であり、高彩度のマゼンタ色の色調を示した。
【００３６】
（ｂ）記録画像の耐光性：
キセノンフェードメーター（スガ試験機社製品）を用い、記録画像に１００時間照射したが、照射後の変退色は小さかった。
（ｃ）記録画像の耐水性：
（１）試験方法
水道水中に記録画像を５分間浸漬したのち、
▲１▼  目視にて画像の滲みを調べた。
▲２▼  浸漬前後のベタ印字部分のＯＤ値をマクベス濃度計（商品名：ＴＲ９２７、マクベス社製品）にて測定した。
【００３７】
（２）試験結果
上記▲１▼の結果、画像のにじみはわずかであった。
また上記▲２▼の４０２４紙に対する浸漬前後のベタ印字部分の濃度変化を下記式によるＯＤ残存率で示すと、７４．３％であった。
【００３８】
【数１】
0004136078.tif 000012
【００３９】
（ｄ）記録液の保存安定性：
記録液のテフロン（登録商標）製容器を密閉し、５℃及び６０℃で１ケ月間保存した後の変化を調べたところ、不溶物の析出は認められなかった。
（ｅ）記録液の信頼性
▲１▼  目詰まり性（固着回復性）
プリンターに所定のインクを充填して、３５℃の環境下で１カ月間放置し、その後回復操作（ポンピングによる吸引操作）を行った後、印字させたところ正常な印字状態に戻った。
【００４０】
▲２▼  間欠吐出の安定性
プリンターに所定のインクを充填して１分間連続して英数字を印字した後、プリントを停止し、キャップ等をしない状態で１分間放置した後、再び印字した場合の文字のかすれ、欠け等は１文字目から認められなかった。
高品位専用紙、フォト光沢紙を用いた場合の、色調、耐光性、耐水性につき同様に評価した。
【００４１】
実施例２
グリセリン８重量部、エチレングリコール８重量部、トリエチレングリコールモノブチルエーテル６重量部、前記Ｎｏ．２の色素２．５重量部に水を加え、アンモニア水でｐＨを９に調整して全量を１００重量部とし、この組成物を実施例１に記載の方法により処理して記録液を調製した。この記録液を用いて、実施例１と同様に印字を行った結果、鮮明なマゼンタ色記録物を得た。またこの記録物に対し、実施例１の（ａ）〜（ｅ）による諸評価を行った。
その結果、実施例１と同様に何れも良好な結果が得られた。
【００４２】
実施例３
ジエチレングリコール１０重量部、Ｎ−メチルピロリドン５重量部、プロピレングリコールモノブチルエーテル８重量部、前記Ｎｏ．３の色素３重量部に水を加え、アンモニア水でｐＨを９に調整して全量を１００重量部とし、この組成物を実施例１に記載の方法により処理して記録液を調製した。この記録液を用いて、実施例１と同様に印字を行った結果、鮮明なマゼンタ色の記録物を得た。またこの記録物に対し、実施例１の（ａ）〜（ｅ）による諸評価を行った。その結果、実施例１と同様に何れも良好な結果が得られた。
【００４３】
実施例４
グリセリン７．５重量部、２，２′−チオジエタノール７．５重量部、尿素７．５重量部、ジエチレングリコールモノブチルエーテル３重量部及び前記Ｎｏ．４の色素３重量部に水を加え、アンモニア水でｐＨを９に調整して全量を１００重量部とし、この組成物を実施例１に記載の方法により処理して記録液を調製した。この記録液を用いて、実施例１と同様に印字を行った結果、鮮明なマゼンタ色の記録物を得た。またこの記録物に対し、実施例１の（ａ）〜（ｅ）による諸評価を行った。その結果、実施例１と同様に良好な結果が得られた。
【００４４】
実施例５
実施例１においてＮｏ．１の色素の代わりに、前記Ｎｏ．５の色素を使用した以外は、実施例１の方法によりインクを調製し、印字を行い、この記録物に対して実施例１の（ａ）〜（ｅ）による諸評価を行った。その結果実施例１と同様に何れも良好な結果を得た。
以上実施例１〜５の結果を第１表に示す。
【００４５】
【表１】
0004136078.tif 000013
【００４６】
上記第１表中、色調の評価は、画像の色の彩度で表わし、詳しくはＣＩＥ１９７６（Ｌ* ａ* ｂ* ）表色系を用いた色差計（商品名：ＳＺ−Σ８０、日本電色工業社製品）により、記録画像の色調を測色してＬ* 、ａ* 、ｂ* の値を求め、下式に従い計算し、
【００４７】
【数２】
0004136078.tif 000014
【００４８】
その値が、６０以上のものを○、５５以上６０未満のものを△、５５以下のものを×とした。
耐光性は、目視で観察し、○は変退色は殆ど認められない、△は変退色がやや認められる、×は変退色が著しく、実用レベルでない状態を示す。
耐水性の滲みは、目視で観察し、○は滲みが殆ど認められない状態から、僅かに認められるが画像の輪郭がややぼけているだけで、画像の濃度の低下は殆ど認められない、△は滲みが認められるが、滲みの範囲は小さく、画像の濃度の低下は小さい、×は滲みが著しく、滲みの範囲も大きく、元の画像部分の識別が困難であり、実用レベルでない状態を示す。
【００４９】
保存安定性は、記録液を試験管にとり目視で観察して、○は不溶分が全く認められない状態を表わし、△は不溶分が少量認められる状態を表わし、×は不溶分が目立ち、実用レベルでない状態を表わす。
記録液の信頼性のうち、▲１▼目詰まり性（固着回復性）においては、○は回復操作２回以内で正常な印字状態に戻る状態を表わし、△は回復操作３〜４回で正常な印字状態に戻る状態を表わし、×は回復操作５回以上でも不吐出や印字乱れが発生する状態を表わす。
【００５０】
▲２▼の間欠吐出の安定性においては、○は１文字目からかすれ、欠けなしの状態を表わし、△は１文字目の一部がかすれ、又は欠ける状態を表わし、×は１文字目が全く印字できない状態を表わす。
【００５１】
実施例６〜３５
実施例１において、Ｎｏ．１の色素の代わりに、前記Ｎｏ．６〜３５の色素を各々使用した以外は、実施例１の方法によりインクを調製し、印字を行い、この記録物に対して実施例１の（ａ）〜（ｅ）による諸評価を行った。その結果実施例１と同様に何れも良好な結果を得た。
【００５２】
Ｎｏ．１１の色素を使用した記録液では、４０２４紙におけるＬ＊ａ＊ｂ＊は各々５６．４、６１．７、６．２であり、高彩度のマゼンタ色の色調を示した。また、キセノンフェードメーター１００時間照射後の変退色は小さかった。
【００５３】
Ｎｏ．３５の色素を使用した記録液では、４０２４紙におけるＬ* ａ* ｂ* は各々５７．８、６０．８、２．５であり、高彩度のマゼンタ色の色調を示した。また、キセノンフェードメーター１００時間照射後の変退色は小さかった。
【００５４】
【発明の効果】
本発明の記録液は、インクジェット記録用、筆記用具用として用いられ、鮮明なマゼンタ色系の記録物を得ることができ、その印字濃度及び耐光性、耐水性が優れている他、記録液としての保存安定性も良好である。